(57)【要約】【課題】取り付けが容易で、作業効率がよく、耐久性・防水性が向上し、微細なクラックにも適応でき、かつ補修後に外観を損なわないコンクリート構造物の補修構造を提供する。【解決手段】クラックを有するコンクリート壁と、前記クラックを覆うようにコンクリート壁面に貼着された粘着テープと、前記コンクリート壁面に貼着された粘着テープのコンクリート壁上側に、コロイダルシリカ水性分散液を前記クラックに注入するために、前記コンクリート壁面と粘着テープとの間が少なくとも部分的に離間した隙間とからなり、かつ前記粘着テープに設けられた前記隙間の底部には、前記隙間から下方向へ延びる１個または複数個の垂直溝が形成され、前記コンクリート壁面に貼着された粘着テープのコンクリート壁下側に、コロイダルシリカ水性分散液の漏出防止のために、前記垂直溝が閉塞されてなることを特徴とするコンクリート壁の補修構造。【選択図】図１
0003137983.tif 000002
【実用新案登録請求の範囲】
【請求項１】
クラックを有するコンクリート壁と、
前記クラックを覆うようにコンクリート壁面に貼着された粘着テープと、
前記コンクリート壁面に貼着された粘着テープのコンクリート壁上側に、コロイダルシリカ水性分散液を前記クラックに注入するために、前記コンクリート壁面と粘着テープとの間が少なくとも部分的に離間した隙間とからなり、かつ
前記粘着テープに設けられた前記隙間の底部には、前記隙間から下方向へ延びる１個または複数個の垂直溝が形成され、
前記コンクリート壁面に貼着された粘着テープのコンクリート壁下側に、コロイダルシリカ水性分散液の漏出防止のために、前記垂直溝が閉塞されてなるコンクリート壁の補修構造。
【請求項２】
前記コンクリート壁面と粘着テープとの間の離間した隙間には、前記コンクリート壁に貼着された粘着テープの接着面の上側に、非接着面を有するテープを貼着することにより、前記粘着テープのコンクリート壁と対向する面に非接着面が設けられてなる請求項１記載のコンクリート壁の補修構造。
【請求項３】
前記粘着テープに形成された垂直溝が複数の場合、前記垂直溝を連結するために、１個または複数個の水平溝が形成されてなる請求項１または２記載のコンクリート壁の補修構造。
【考案の詳細な説明】
【技術分野】
【０００１】
本考案は、コンクリート壁の補修構造に関する。さらに詳細には、クラックを有するコンクリート壁と、前記クラックを覆う粘着テープと、前記粘着テープの上側に、コロイダルシリカ水性分散液を前記クラックに注入するための隙間とが設けられたコンクリート壁の補修構造に関する。
【背景技術】
【０００２】
従来のコンクリート構造物等の補修には、樹脂、モルタル、セメント粉、他の止水材等が用いられていた。しかし、これらは浸水対策機能が不充分で、壁面掘削機等の大掛かりな装置が必要であるばかりか、作業に高度な専門知識や専門技術が必要であり、また作業効率が悪く、補修後も補修の痕跡が残るために美観が損なわれる等の問題が生じていた。そのため、種々の解決案が講じられてきた。
【０００３】
たとえば、特許文献１には、止水部材等を用いて安価に浸水対策機能を充足させる工法の技術が開示されている。
【０００４】
一方、特許文献２には、部分水和水硬性組成物成形体と無機形撥水材を併用することにより美観を損なわず、かつ防水性に優れた簡便な工法の技術が開示されている。
【０００５】
【特許文献１】実用新案登録第３０２４２４７号公報
【特許文献２】特開２００６−１６９８４２号公報
【考案の開示】
【考案が解決しようとする課題】
【０００６】
特許文献１の技術では、工法中でコンクリート壁を削る必要があり、そのためコンクリート壁面用掘削機といった大掛かりな装置が必要であった。また、高度な専門知識や専門技術も要求され、さらに作業に多くの人手が必要になり、結果作業効率が悪くなるという問題がある。
【０００７】
特許文献２の技術では、表面的なクラックにしか対応できず、クラック深部の処理には従来技術で対応するしかない（特許文献２、段落番号［００５３］参照）という問題がある。また、(1)防水材の塗布、(2)防水材の乾燥、(3)補修材の塗布、(4)水和反応による硬化完結という四段階の手順が必要になるので、簡便さという点においては問題がある。
【０００８】
また、逆止弁（座金）を用いてクラックに結晶化促進剤溶液を注入する工法は、作業開始時から終了時に至るまで、手動で注入せねばならず、作業効率が悪い。また、注入中、作業後はクラックから溶液が溢れることもあり、補修跡が残り易く、著しく美観が損なわれるという問題がある。
【０００９】
本考案は、上記問題に鑑みてなされたものであり、簡便な構造で、大掛かりな装置が必要なく、かつコンクリート構造物のヒビ割れ等の補修の作業効率を大幅に上昇させることができるコンクリート構造物の補修構造を提供することを目的とする。
【課題を解決するための手段】
【００１０】
本考案のコンクリート壁の補修構造は、クラックを有するコンクリート壁と、前記クラックを覆うようにコンクリート壁面に貼着された粘着テープと、前記コンクリート壁面に貼着された粘着テープのコンクリート壁上側に、コロイダルシリカ水性分散液を前記クラックに注入するために、前記コンクリート壁面と粘着テープとの間が少なくとも部分的に離間した隙間とからなり、かつ前記粘着テープに設けられた前記隙間の底部には、前記隙間から下方向へ延びる１個または複数個の垂直溝が形成され、前記コンクリート壁面に貼着された粘着テープのコンクリート壁下側に、コロイダルシリカ水性分散液の漏出防止のために、前記垂直溝が閉塞されてなることを特徴とする。
【００１１】
また、前記コンクリート壁面と粘着テープとの間の離間した隙間には、前記コンクリート壁に貼着された粘着テープの接着面の上側に、非接着面を有するテープを貼着することにより、前記粘着テープのコンクリート壁と対向する面に非接着面が設けられてなることが好ましい。
【００１２】
また、前記粘着テープに形成された垂直溝が複数の場合、前記垂直溝を連結するために、１個または複数個の水平溝が形成されてなることが好ましい。
【考案の効果】
【００１３】
使用者は、本考案のコンクリート壁の補修構造を、クラックを有するコンクリート壁に貼り付けた後、前記コンクリート壁面に貼着された粘着テープのコンクリート壁上側に、前記コンクリート壁面と粘着テープとの間に設けられた隙間からコロイダルシリカ水性分散液を注入することにより、分散液が垂直溝および水平溝を通ってクラックに流れ込ませることができる。なお、前記コロイダルシリカ水性分散液は、クラック内でゲル化し、クラックを補修することができる。
【考案を実施するための最良の形態】
【００１４】
本考案のコンクリート壁の補修構造は、クラックを有するコンクリート壁と、前記クラックを覆う粘着テープと、前記粘着テープの上側に、コロイダルシリカ水性分散液を前記クラックに注入するために前記コンクリート壁面と粘着テープとの間に設けられた隙間とからなり、前記隙間の底部には、前記コンクリート壁との接着面に沿って下方向へ延びる垂直溝、および前記垂直溝間に垂直溝同士を連結させる水平溝が設けられてなる。なお、本考案のクラックの幅は、約０．０１〜０．３ｍｍのものが挙げられる。以下、添付図面を参照して、本考案を詳細に説明する。
【００１５】
図１は、本考案のコンクリート壁の補修構造の一実施形態における正面図である。図２は、本考案のコンクリート壁の補修構造の一実施形態における断面図であり、（ａ）は、図１のＡ−Ａ縦断面図、（ｂ）は、図１のＢ−Ｂ横断面図、（ｃ）は、図１のＣ−Ｃ横断面図である。図３は、従来のコンクリート壁の補修構造の斜視図である。
【００１６】
まず、従来のコンクリート壁の補修構造は、図３に示されるように、コンクリート壁１２とクラック１３および逆止弁１４とからなり、クラック１３は、コンクリート壁１２上にほぼ垂直方向に形成されている。クラック１３に沿って一定間隔で逆止弁１４が設置されており、逆止弁１４は、設置部１５と容器１６及び注入管１７からなる。従来のコンクリート壁の補修構造は、逆止弁１４の容器１６に対して手動でコロイダルシリカ水性分散液を注入せねばならず、作業効率が悪い。また、注入後はクラックから溶液が溢れることが多く、補修後に跡が残り、著しく美観が損なわれるという問題がある。
【００１７】
図１に示されるように、本考案のコンクリート壁の補修構造１は、コンクリート壁２と粘着テープ３と、前記粘着テープ３の上側に、コロイダルシリカ水性分散液をクラック７に注入するための前記コンクリート壁面と粘着テープとの間に設けられた隙間４とから構成される。また、前記コンクリート壁２と粘着テープ３の接着面に沿って下方向へ延びる垂直溝５および前記垂直溝５同士を連結させる水平溝６が形成される。なお、前記コンクリート壁２はクラック７を有する。
【００１８】
前記粘着テープの粘着面は、溶液が漏出しないよう壁と密着する程度の粘着力を有し、これにより、注入されたコロイダルシリカ水性分散液がクラックや後述する垂直溝、水平溝を選択的に通過することができる。
【００１９】
前記粘着テープに形成される垂直溝・水平溝は、溶液が充分通過でき、かつクラック幅に充分適応できる幅を有することが好ましい。溝の形状としては、方筒形状、円筒形状など種々の形状を選択できる。なお、溝内部は非粘着面が望ましいが、製造時の利便性から粘着テープと同質であってもなんら問題ない。
【００２０】
以下、本考案のコンクリート壁の補修構造１の断面図を示した図２に沿って内部構造を説明する。
【００２１】
図２（ａ）に示されるように、コンクリート壁２と粘着テープ３により、前記コンクリート壁面と粘着テープとの間の離間した隙間９が形成されている。この隙間９にコロイダルシリカ水性分散液を注入する。
【００２２】
図２（ｂ）に示されるように、クラック７はコンクリート壁２の内側にも通っている。図中の垂直溝５とクラック７が接する場所で垂直溝５とクラック７が交差しているため、前記隙間から注入されたコロイダルシリカ水性分散液は、垂直溝５を通過したのちに、クラックとの交差位置にてクラック７内に流れ込む。
【００２３】
多くの場合、クラックが斜め方向にも生じている。その際は、垂直溝のみでは短時間に充分な量のコロイダルシリカ水性分散液をクラックに充填することが困難であると考えられる。その解消手段として、図２（ｃ）に示されるように、２本の垂直溝５の間を水平溝６で接続することができる。水平溝５を設置することにより、クラックとの交差位置が増え、クラックに充填することができる。
【００２４】
なお、コロイダルシリカ水性分散液が粘着テープ３の下端より漏出しないよう、閉塞部８を粘着テープ３の下端に設置することが好ましい。
【００２５】
また、本考案の粘着テープは、前述のようにコロイダルシリカ水性分散液が漏出しない、もしくは漏出しにくい素材であるものの、表面部への漏出を完全に防ぐため、粘着テープの表面に液体非通過性の表層フィルム３ａを貼り付けてもよい。
【００２６】
なお、このコロイダルシリカ水性分散液は、コンクリート成分と反応することで、ゲルを形成する。なお、コロイダルシリカ水性分散液は、注入後ただちにコンクリート成分と反応しゲル化反応を開始するが、自身の流動性を失う程度にゲル化するには少なくとも数時間から約一日を要する。そのため、注入後のコロイダルシリカ水性分散液はクラックや垂直溝、水平溝を通過し補修を要する箇所に充分行き渡ったのちに流動性を失う程度までゲル化する。また、前述のようにコンクリート壁の表面には粘着テープが貼られており、コンクリート壁表面にコロイダルシリカ水性分散液が漏出することもなく、これにより、補修に要する時間は短時間で済むばかりか、補修後に必要なメンテナンス（周囲の清掃など）も皆無である。
【００２７】
また、本考案で使用するコロイダルシリカは、前述のようにはクラック以外にもコンクリートそのものや、クラック箇所以外の内部消耗部位（つまりクラックを生じるには至っていないが、微細な空隙などを生じ、将来クラックになりうる部位）にも浸透する。コンクリート内部に浸透した後にゲル化するため、シリカゲルは上記内部消耗部位の空隙を埋めるクッション的な役割を担うことも可能である。それにより、クラックの補修のみならず、コンクリートそのものの強度を高めることが可能である。
【００２８】
なお、粘着テープの幅、垂直溝の本数・幅、水平溝の間隔、前記コンクリート壁面と粘着テープとの間の離間した隙間の大きさ等はクラックの形状、大きさに合わせて自由に変更可能である。
【００２９】
また、粘着テープは、当業者に自明の各種手段によって製造することができる。たとえば両側と両側を結ぶよう凸部を設けたローラーによって、固化前の粘着テープを成形してもよく、両側と両側を結ぶよう溝を設けた鋳型に溶液状態（つまり固化前）の粘着テープを流し込んで成形してもよい。
【００３０】
以上、本考案のコンクリート壁の補修構造は、前記コンクリート壁面と粘着テープとの間の離間した隙間からコロイダルシリカ水性分散液を注入することにより、分散液が垂直溝および水平溝を通ってクラックに流れ込ませることができる。なお、前記コロイダルシリカ水性分散液は、クラック内でゲル化し、クラックを補修することができる。これにより、クラックの大小に影響されることのない、コンクリート壁の補修構造を提供することができる。容易に設置でき、美観を損なわず、クラックの深さ等に影響されないコンクリート壁の補修構造が作成できる。
【図面の簡単な説明】
【００３１】
【図１】本考案のコンクリート壁の補修構造の一実施形態における正面図である。
【図２】本考案のコンクリート壁の補修構造の一実施形態における内部説明のための断面図である。
【図３】従来のコンクリート壁の補修構造の一実施形態における斜視図である。
【符号の説明】
【００３２】
１、１１  コンクリート壁の補修構造
２、１２  コンクリート壁
３  粘着テープ
３ａ  表層フィルム
３ｂ  接着剤層
４  注入部
５  垂直溝
６  水平溝
７、１３  クラック
８  閉塞部
９  コンクリート壁面と粘着テープとの間の離間した隙間
１４  逆止弁（座金）
１５  設置部
１６  容器
１７  注入管
【図１】
0003137983.tif 000003
【図２】
0003137983.tif 000004
【図３】
0003137983.tif 000005